(57)【要約】      （修正有）【課題】アーム式建設機械のアームに対する着脱の際に移動させ易く着脱の作業負担を軽減することが可能な固定ピン、及び固定ピン着脱装置を提供する。【解決手段】アーム式建設機械のアームの端部にアタッチメントを取り付けるための固定ピン１を、軸棒状で、アーム端部に貫設されたアーム孔部及びアタッチメントに貫設されたアタッチメント孔部に挿通されるピン本体１０と、ピン本体の一端に設けられたフランジ部１１と、フランジ部に設けられた環状の第一連結部２０ａと、ピン本体の他端であるピン先端部１２に設けられた、太さがピン本体以下でアーム孔部及びアタッチメントに挿通される環状の第二連結部２１ａとを具備する。フランジ部およびピン先端部には、雄ネジ及び雌ネジの螺合により着脱可能に第一連結部に締結される第一締結部１３と、第二連結部に締結される第二締結部１４がそれぞれ形成されていることが好ましい。【選択図】図１
0003194803.tif 000002
【実用新案登録請求の範囲】
【請求項１】
アーム式建設機械のアームの端部にアタッチメントを取り付けるための固定ピンであって、
軸棒状で、前記アームの端部に貫設されたアーム孔部及び前記アタッチメントに貫設されたアタッチメント孔部に挿通されるピン本体と、
該ピン本体の一端に設けられたフランジ部と、
該フランジ部に設けられた環状の第一連結部と、
前記ピン本体の他端であるピン先端部に設けられた、太さが前記ピン本体以下で前記アーム孔部及び前記アタッチメントに挿通される環状の第二連結部と
を具備することを特徴とする固定ピン。
【請求項２】
前記フランジ部には、雄ネジ及び雌ネジの螺合により着脱可能に前記第一連結部に締結される第一締結部が形成されていると共に、
前記ピン先端部には、雄ネジ及び雌ネジの螺合により着脱可能に前記第二連結部に締結される第二締結部が形成されている
ことを特徴とする請求項１に記載の固定ピン。
【請求項３】
前記第一連結部が取り外された第一締結部に、雄ネジ及び雌ネジの螺合により取り付けられる第一保護部材と、
前記第二連結部が取り外された第二締結部に、雄ネジ及び雌ネジの螺合により取り付けられる第二保護部材と
を更に具備することを特徴とする請求項２に記載の固定ピン。
【請求項４】
前記第二連結部に着脱可能に取り付けられると共に、太さが前記ピン本体以下で前記アーム孔部及び前記アタッチメント孔部に挿通される線状の延長部材を、更に具備する
ことを特徴とする請求項１乃至請求項３の何れか一つに記載の固定ピン。
【請求項５】
請求項１乃至請求項３の何れか一つに記載の固定ピンと、
前記第一連結部に連結され、或いは前記第二連結部に連結される被連結部、該被連結部が端部に取り付けられた線状の連結部材、該連結部材が巻き掛けられた支軸、及び、該支軸を回転させることにより前記連結部材の巻き上げ及び繰り出しを行う回転機構を備えた牽引装置と
を具備することを特徴とする固定ピン着脱装置。
【請求項６】
請求項４に記載の固定ピンと、
前記第一連結部に連結され、或いは前記第二連結部に取り付けられた前記延長部材に連結される被連結部、該被連結部が端部に取り付けられた線状の連結部材、該連結部材が巻き掛けられた支軸、及び、該支軸を回転させることにより前記連結部材の巻き上げ及び繰り出しを行う回転機構を備えた牽引装置と
を具備することを特徴とする固定ピン着脱装置。
【考案の詳細な説明】
【技術分野】
【０００１】
本考案は、アーム式建設機械のアームの端部にアタッチメントを取り付けるための固定ピン、及び、該固定ピンをアームの端部に対して着脱するための固定ピン着脱装置に関するものである。
【背景技術】
【０００２】
アーム式の建設機械には、アームの先端にアタッチメントを付け替えて、掘削、搬送、積み上げ、破砕、切断等の種々の作業に使用するものがある。これらのアタッチメントは、固定ピンによりアームの先端に取り付けられている。
【０００３】
具体的には、図５に示すように従来の固定ピン１００は、軸棒状のピン本体１０１と、ピン本体１０１の一端に設けられたフランジ部１０２と、ピン本体１０１の他端に、軸方向と直交する方向に貫設されたピン孔部１０３とを有している。一方、アタッチメント５０には、図６に示すように、一対のアタッチメント連結部５１が間隔をあけて同方向に突設されており、一対のアタッチメント連結部５１にはそれぞれアタッチメント孔部５２が貫設されている。また、アーム式建設機械のアーム６０の先端にも、アーム孔部６１が貫設されている。アタッチメント５０をアーム６０に取り付けるには、一対のアタッチメント連結部５１の間にアーム６０を位置させ、アタッチメント孔部５２及びアーム孔部６１にピン本体１０１を挿通し、ピン本体１０１の先端がアッタチメント連結部５１から突出した状態で、ピン孔部１０３に図示しない抜け止めピンを挿通する。
【０００４】
上記構成の固定ピンのアームに対する着脱は、従前より、ハンマー等で固定ピンに打撃を加えることにより行っている。建設機械のアッタチメントは大型であるため、これを固定するための固定ピンのサイズも大きい。加えて、固定ピンには高強度が要求されるため一般的に金属製である。そのため、固定ピンは重量物であり、ハンマー等で打撃を加えて固定ピンを移動させるためには、大きな力を要し作業負担が大きい、繰り返し打撃を加えても固定ピンが移動しにくく着脱が困難なことが少なくない、という問題があった。
【考案の概要】
【考案が解決しようとする課題】
【０００５】
そこで、本考案は、上記の実情に鑑み、アーム式建設機械のアームに対する着脱の際に移動させ易く、着脱の作業負担を軽減することが可能な固定ピン、及び該固定ピンを着脱するための固定ピン着脱装置の提供を、課題とするものである。
【課題を解決するための手段】
【０００６】
上記の課題を解決するため、本考案にかかる固定ピンは、
「アーム式建設機械のアームの端部にアタッチメントを取り付けるための固定ピンであって、
軸棒状で、前記アームの端部に貫設されたアーム孔部及び前記アタッチメントに貫設されたアタッチメント孔部に挿通されるピン本体と、
該ピン本体の一端に設けられたフランジ部と、
該フランジ部に設けられた環状の第一連結部と、
前記ピン本体の他端であるピン先端部に設けられた、太さが前記ピン本体以下で前記アーム孔部及び前記アタッチメントに挿通される環状の第二連結部と
を具備する」ものである。
【０００７】
「アタッチメント」としては、各種サイズのバケット、法面バケット、スケルトンバケット、ピラニアバケット、クラムシェルバケット、フォーク、フォークグラップル、クラッシャ、ハサミ状カッタを例示することができる。
【０００８】
本構成の固定ピンは、従来の固定ピンとは異なり、第一連結部及び第二連結部を備えている。第一連結部及び第二連結部は環状であるため、これらを介して牽引装置を固定ピンと連結することができる。例えば、チェーンやワイヤロープ等の牽引索を巻き上げて牽引するホイストやウインチ等の牽引装置において、牽引索の端部に設けられたフックやシャックル等の被連結部を、環状の第一連結部または第二連結部に引掛けることにより、固定ピンを牽引装置に直接的に連結することができる。或いは、フックやシャックル等を有する他の連結用の部材を第一連結部または第二連結部に連結し、その連結用の部材を牽引装置に連結することにより、固定ピンを牽引装置に間接的に連結することができる。これにより、アーム式建設機械のアームに対する固定ピンの着脱を、牽引装置を使用して行うことができる。具体的には、アームから固定ピンを取り外す場合は、第一連結部に牽引装置を直接的または間接的に連結し、牽引装置を使用して固定ピンを第一連結部側に牽引する。一方、アームに固定ピンを取り付ける場合は、アーム孔部及びアタッチメント孔部を介して第二連結部に牽引装置を直接的または間接的に連結し、牽引装置を使用して固定ピンを第二連結部側に牽引する。このように、本構成の固定ピンは第一連結部及び第二連結部を備えていることにより、牽引装置を使用して固定ピンを着脱することが可能である。従って、人力で固定ピンに打撃を加える従来の作業よりも固定ピンを移動させ易く、作業負担を軽減することができる。
【０００９】
本考案にかかる固定ピンは、上記構成に加えて、「前記フランジ部には、雄ネジ及び雌ネジの螺合により着脱可能に前記第一連結部に締結される第一締結部が形成されていると共に、前記ピン先端部には、雄ネジ及び雌ネジの螺合により着脱可能に前記第二連結部に締結される第二締結部が形成されている」ものとすることができる。
【００１０】
「雄ネジ及び雌ネジの螺合により着脱可能に前記第一連結部に締結される第一締結部」の態様としては、第一連結部に雄ネジが取り付けられており第一締結部がこれと螺合可能な雌ネジを有する態様、第一連結部に雌ネジを有する部分が取り付けられており第一締結部がこれと螺合可能な雄ネジである態様を例示することができる。ここで、第一締結部が雌ネジを有する態様としては、フランジ部に固着されたナットにより第一締結部が構成される態様、フランジ部に設けられた孔部と、その孔部の内周に形成された雌ネジとから第一締結部が構成される態様を例示することができる。同様に、「雄ネジ及び雌ネジの螺合により着脱可能に前記第二連結部に締結される第二締結部」の態様としては、第二連結部に雄ネジが取り付けられており第二締結部がこれと螺合可能な雌ネジを有する態様、第二連結部に雌ネジを有する部分が取り付けられており第二締結部がこれと螺合可能な雄ネジである態様を例示することができる。また、第二締結部が雌ネジを有する態様としては、ピン先端部に固着されたナットにより第二締結部が構成される態様、ピン先端部に設けられた孔部と、その孔部の内周に形成された雌ネジから第二締結部が構成される態様を例示することができる。
【００１１】
アーム式建設機械を使用する際には、環状の第一連結部及び第二連結部は不要である。本構成の固定ピンでは、第一連結部及び第二連結部がピン本体に対して着脱可能であるため、固定ピンをアーム式建設機械のアームに対して着脱するときのみ第一連結部及び第二連結部をピン本体に取り付け、アーム式建設機械を使用する際には、第一連結部及び第二連結部をピン本体から取り外すことができる。これにより、固定ピンをアームに取り付けた状態ではアタッチメント孔部から突出することとなる環状の第一連結部と第二連結部に、アーム式建設機械による作業中に土砂やコンクリート片等の被処理物が当たり、破損することを防止することができる。
【００１２】
本考案にかかる固定ピンは、上記構成に加えて、「前記第一連結部が取り外された第一締結部に、雄ネジ及び雌ネジの螺合により取り付けられる第一保護部材と、前記第二連結部が取り外された第二締結部に、雄ネジ及び雌ネジの螺合により取り付けられる第二保護部材とを更に具備する」ものとすることができる。
【００１３】
第一保護部材及び第二保護部材はそれぞれ、第一連結部及び第二連結部が着脱できる固定ピンにおいて、第一連結部及び第二連結部に代替して第一締結部及び第二締結部に取り付けられるものである。従って、第一連結部が第一締結部の雌ネジと螺合する雄ネジが取り付けられている構成である場合、第一保護部材は第一締結部の雌ネジと螺合する雄ネジを有する構成であり、第一連結部が第一締結部の雄ネジと螺合する雌ネジを有する部分が取り付けられている構成である場合、第一保護部材は第一締結部の雄ネジと螺合する雌ネジを有する構成である。同様に、第二連結部が第二締結部の雌ネジと螺合する雄ネジが取り付けられている構成である場合、第二保護部材は第二締結部の雌ネジと螺合する雄ネジを有する構成であり、第二連結部が第二締結部の雄ネジと螺合する雌ネジを有する部分が取り付けられている構成である場合、第二保護部材は第二締結部の雄ネジと螺合する雌ネジを有する構成である。
【００１４】
本構成の固定ピンでは、環状の第一連結部及び第二連結部がそれぞれ取り外された状態の第一締結部及び第二締結部において、雄ネジまたは雌ネジを第一保護部材及び第二保護部材により保護することができる。具体的には、第一締結部及び第二締結部が雌ネジを有する場合は、雌ネジが形成されている孔部が土砂等によって塞がれ、次に第一連結部及び第二連結部を取り付ける際の妨げとなることを防止することができる。また、第一締結部及び第二締結部が雄ネジである場合は、アーム式建設機械の使用の際にピン本体から突出することとなる雄ネジが土砂等の被処理物と衝突して破損したり、雄ネジのネジ山が摩耗したりすることを防止することができる。
【００１５】
本考案にかかる固定ピンは、上記構成に加えて、「前記第二連結部に着脱可能に取り付けられると共に、太さが前記ピン本体以下で前記アーム孔部及び前記アタッチメント孔部に挿通される線状の延長部材を、更に具備する」ものとすることができる。
【００１６】
「線状の延長部材」は、ワイヤ、チェーン、ワイヤロープ等の線状部材の端部に、第二連結部に着脱可能に連結できる部材を備えた構成とすることができる。第二連結部に連結できる部材としては、環状の第二連結部に引掛けられるシャックルやフックを例示することができる。
【００１７】
固定ピンをアームに取り付ける作業において、牽引装置の牽引索やその端部に設けられたフック等の被連結部がアーム孔部及びアタッチメント孔部を通過しにくい場合など、牽引装置を第二連結部に直接的に連結しにくい場合がある。その場合、第二連結部に牽引装置を間接的に連結するための何らかの部材を用意する必要がある。これに対し、本構成の固定ピンは、第二連結部に取り付けることができ、アーム孔部及びアタッチメント孔部に挿通させる、太さがピン本体以下の延長部材を備えている。これにより、牽引装置を第二連結部に直接的に連結しにくい場合であっても、延長部材を介して、問題なく牽引装置を第二連結部に連結することができる。
【００１８】
次に、本考案にかかる固定ピン着脱装置は、「上記に記載の固定ピンと、前記第一連結部に連結され、或いは前記第二連結部に取り付けられた前記延長部材に連結される被連結部、該被連結部が端部に取り付けられた線状の連結部材、該連結部材が巻き掛けられた支軸、及び、該支軸を回転させることにより前記連結部材の巻き上げ及び繰り出しを行う回転機構を備えた牽引装置とを具備する」ものである。
【００１９】
「牽引装置」としては、レバーホイスト、電動ホイスト、ウインチ、電動ウインチを例示することができる。「線状の連結部材」としては、チェーン、ワイヤ、ワイヤロープを例示することができる。「被連結部」としては、フック、シャックル、ナスカンを例示することができる。
【００２０】
本構成の固定ピン着脱装置は、第一連結部及び第二連結部を備えた固定ピンと、線状の連結部材を巻き上げることにより第一連結部または第二連結部に連結させた被連結部を介して固定ピンを牽引することができる牽引装置を備えている。これにより、牽引装置を使用して固定ピンを着脱することができ、人力で固定ピンに打撃を加える従来の作業よりも固定ピンを移動させ易く、作業負担を軽減することができる。
【００２１】
本考案にかかる固定ピン着脱装置は、上記構成に替えて、「延長部材を具備する上記に記載の固定ピンと、前記第一連結部に連結され、或いは前記第二連結部に取り付けられた前記延長部材に連結される被連結部、該被連結部が端部に取り付けられた線状の連結部材、該連結部材が巻き掛けられた支軸、及び、該支軸を回転させることにより前記連結部材の巻き上げ及び繰り出しを行う回転機構を備えた牽引装置とを具備する」ものとすることができる。
【００２２】
本構成の固定ピン着脱装置は、第一連結部及び第二連結部に加えて、第二連結部に取り付けられる延長部材を有する固定ピンと、第一連結部を介して、または延長部材に連結させた被連結部を介して固定ピンを牽引することができる牽引装置を備えている。これにより、被連結部を直接的に第二連結部と連結しにくい場合であっても、問題なく牽引装置を使用して固定ピンを着脱することができ、人力で固定ピンに打撃を加える従来の作業よりも固定ピンを移動させ易く、作業負担を軽減することができる。
【考案の効果】
【００２３】
以上のように、本考案の効果として、アーム式建設機械のアームに対する着脱の際に移動させ易く、着脱の作業負担を軽減することが可能な固定ピン、及び該固定ピンを着脱するための固定ピン着脱装置を提供することができる。
【図面の簡単な説明】
【００２４】
【図１】本考案の一実施形態である固定ピンの正面図である。
【図２】図１の固定ピンにおいて着脱できる構成を説明する図である。
【図３】図１の固定ピンのアームへの取り付けを説明する図である。
【図４】図１の固定ピンのアームからの取り外しを説明する図である。
【図５】従来の固定ピンの正面図である。
【図６】従来の固定ピンのアームへの取り付けを説明する図である。
【考案を実施するための形態】
【００２５】
以下、本考案の一実施形態である固定ピン１及び固定ピン着脱装置について図１乃至図４を用いて説明する。固定ピン１はアーム式建設機械のアーム６０の端部にアタッチメント５０を取り付けるために使用されるものである。ここで、アタッチメント５０からは一対のアタッチメント連結部５１が間隔をあけて同方向に突設されており、一対のアタッチメント連結部５１にはそれぞれ円形のアタッチメント孔部５２が貫設されている。また、アーム６０の端部にも同様に円形のアーム孔部６１が貫設されている。アタッチメント５０は、一対のアタッチメント連結部５１の間にアーム６０を位置させ、アタッチメント孔部５２及びアーム孔部６１に固定ピン１を通すことにより取り付けられる。
【００２６】
本実施形態の固定ピン１は、軸棒状で、アーム孔部６１及びアタッチメント孔部５２に挿通されるピン本体１０と、ピン本体１０の一端に設けられたフランジ部１１と、フランジ部１１に設けられた環状の第一連結部２０ａと、ピン本体１０の他端であるピン先端部１２に設けられた、太さがピン本体１０以下でアーム孔部６１及びアタッチメント孔部５２に挿通される環状の第二連結部２１ａとを具備している。
【００２７】
具体的には、ピン本体１０は軸方向に対して直交する断面が円形であり、その直径はアーム孔部６１及びアタッチメント孔部５２の直径よりも小さい。これにより、ピン本体１０をアーム孔部６１及びアタッチメント孔部５２に挿通することができる。フランジ部１１はピン本体１０の端部から同心の円盤状に張り出しており、その径はアーム孔部６１及びアタッチメント孔部５２よりも大きい。これにより、ピン本体１０をアーム孔部６１及びアタッチメント孔部５２に挿通するときに、フランジ部１１がアタッチメント連結部５１に当接してストッパとして作用する。フランジ部１１に設けられた第一連結部２０ａは、円環状である。一方、ピン先端部１２に設けられている第二連結部２１ａも同様に円環状であるが、その外径は第一連結部２０ａより小さく、ピン本体１０の外径以下である。これにより、ピン本体１０を、第二連結部２１ａ側からアーム孔部６１及びアタッチメント孔部５２に挿入することができる。更に、ピン本体１０の長さは、一対のアタッチメント連結部５１間の距離よりも長く設定されている。これにより、アーム孔部６１を介してアタッチメント孔部５２の一方から他方へと固定ピン１を挿通してアタッチメント５０をアーム６０に取り付けることができる。
【００２８】
また、フランジ部１１には、雄ネジ及び雌ネジの螺合により着脱可能に第一連結部２０ａに締結される第一締結部１３が形成されていると共に、ピン先端部１２には、雄ネジ及び雌ネジの螺合により着脱可能に第二連結部２１ａに締結される第二締結部１４が形成されている。
【００２９】
具体的には、固定ピン１はピン本体１０に対して着脱可能な第一連結部材２０及び第二連結部材２１を具備しており、第一連結部２０ａ及び第二連結部２１ａはそれぞれ第一連結部材２０及び第二連結部材２１の構成である。より詳細には、第一連結部材２０は、円環状の第一連結部２０ａと、第一連結部２０ａが取り付けられた六角の頭部２０ｂと、頭部２０ｂに取り付けられた雄ネジ２０ｃとからなる。同様に、第二連結部材２１は、円環状の第二連結部２１ａと、第二連結部２１ａが取り付けられた六角の頭部２１ｂと、頭部２１ｂに取り付けられた雄ネジ２１ｃとからなる。一方、フランジ部１１には、雄ネジ２０ｃと螺合する雌ネジ１３ｃを有するナットが固着されており、これが第一締結部１３を構成している。同様に、ピン先端部１２には雄ネジ２１ｃと螺合する雌ネジ１４ｃを有するナットが固着されており、これが第二締結部１４を構成している。かかる構成により、第一締結部１３に雄ネジ２０ｃを締結することによって第一連結部２０ａは「フランジ部１１に設けられた」状態となり、第二締結部１４に雄ネジ２１ｃを締結することによって第二連結部２１ａは「ピン先端部１２に設けられた」状態となる。
【００３０】
更に、固定ピン１は、第一連結部２０ａが取り外された第一締結部１３に、雄ネジ及び雌ネジの螺合により取り付けられる第一保護部材４０と、第二連結部２１ａが取り外された第二締結部１４に、雄ネジ及び雌ネジの螺合により取り付けられる第二保護部材４３とを、具備している。
【００３１】
具体的には、第一保護部材４０は、第一連結部材２０から第一連結部２０ａを除いた構成に相当し、第一締結部１３と螺合可能な雄ネジ４０ｃと六角の頭部４０ｂとからなる。同様に、第二保護部材４３は、第二連結部材２１から第二連結部２１ａを除いた構成に相当し、第二締結部１４と螺合可能な雄ネジ４３ｃと六角の頭部４３ｂとからなる。これにより、第一連結部材２０及び第二連結部材２１が取り外された状態の第一締結部１３及び第二締結部１４に第一保護部材４０及び第二保護部材４３をそれぞれ取り付けて、第一締結部１３及び第二締結部１４においてそれぞれ雌ネジ１３ｃ，１４ｃが形成されている孔部を塞ぐことができる。従って、第一締結部１３及び第二締結部１４の孔部が土砂等によって塞がれ、次に第一連結部材２０及び第二連結部材２１を取り付ける際の妨げとなることを防止することができる。
【００３２】
加えて、固定ピン１は、第二連結部２１ａに着脱可能に取り付けられると共に、太さがピン本体１０以下でアーム孔部６１及びアタッチメント孔部５２に挿通される線状の延長部材４６を、具備している。
【００３３】
延長部材４６は、線状部材の一端に第二連結部２１ａと着脱可能に連結できる部材を備え、他端が環状となったものである。本実施形態では、線状部材はワイヤ４７であり、第二連結部２１ａと着脱可能に連結できる部材としてシャックル４８を備えている。シャックル４８において最も幅広の部分の長さは、ピン本体１０の直径以下である。これにより、延長部材４６はアーム孔部６１及びアタッチメント孔部５２を通過可能である。
【００３４】
次に、本考案の一実施形態である固定ピン着脱装置について図３及び図４を用いて説明する。
【００３５】
本実施形態の固定ピン着脱装置は、固定ピン１と、第一連結部２０ａに連結され、或いは第二連結部２１ａに取り付けられた延長部材４６に連結される被連結部３２、被連結部３２が端部に取り付けられた線状の連結部材３１、連結部材３１が巻き掛けられた支軸、及び、支軸を回転させることにより連結部材３１の巻き上げ及び繰り出しを行う回転機構を備えた牽引装置３０と、を具備している。
【００３６】
具体的には、牽引装置３０は、被連結部３２としてのフックと、被連結部３２が一端に取り付けられた連結部材３１としてのチェーンと、第一支軸（図示しない）周りに回転し連結部材３１が巻き掛けられている第一滑車（図示しない）と、第二支軸３３周りに回転し第二チェーン（図示しない）が巻き掛けられている第二滑車（図示しない）と、第二支軸３３を回転させるレバー３５と、第一滑車及び第二滑車を支持している装置本体３４を備えている。第二滑車は第一滑車より大径であり、それぞれと同心の二つの歯車が噛合っていることにより、連動して回転する。また、装置本体３４には、係着部３６としてのフックが取り付けられており、環状の被係着部９１を有するコンクリートブロック等の重量物９０に係着部３６を引掛けることにより、装置本体３４を固定する。
【００３７】
かかる構成により、レバー３５の操作によって第二滑車を回転させ第二支軸３３周りに第二チェーンを巻き上げると、これに伴い第一滑車が回転し、連結部材３１が第一支軸周りに巻き上げられる。第二滑車は第一滑車より大径であるため、第二支軸周りに第二チェーンを巻き上げる距離は、連結部材３１によって被牽引物を移動させる距離より長くなるが、この長さの比に反比例した小さな力で、被牽引物を牽引することができる。ここで、本実施形態の第一支軸が本考案の「支軸」に相当し、第一滑車、第二滑車、これらを噛合わせる歯車、第二チェーン、及びレバー３５が、本考案の「回転機構」に相当する。なお、レバー３５によって第二支軸３３を回転させる構成は、ラチェット機構を備えている。
【００３８】
本実施形態の固定ピン着脱装置を使用した固定ピン１の取り付けについて図３を用いて説明する。
【００３９】
固定ピン１をアーム６０に取り付ける場合は、第二連結部材２１をピン本体１０に取り付けておく。第二連結部材２１の雄ネジ２１ｃの第二締結部１４への締結は、六角の頭部２１ｂを六角レンチで回転させることにより容易に行うことができる。この状態で、アーム孔部６１及びアタッチメント孔部５２を介して第二連結部２１ａに牽引装置３０を間接的に連結し、牽引装置３０を使用して固定ピン１を第二連結部２１ａ側に牽引する。具体的には、アーム孔部６１を介してアタッチメント孔部５２の一方から他方へ挿通させた延長部材４６のシャックル４８を、ピン本体１０に取り付けられた第二連結部２１ａに引掛けると共に、牽引装置３０の被連結部３２を延長部材４６の環状となった他端に引掛ける。これにより、第二連結部２１ａと牽引装置３０が間接的に連結される。そして、レバー３５の操作によって上述のように連結部材３１を巻き上げることにより、延長部材４６を介してピン本体１０をアーム孔部６１及びアタッチメント孔部５２内に牽引し、固定ピン１をアーム６０に取り付けることができる。なお、延長部材４６の一方の端部に牽引装置３０または第二連結部２１ａを連結した状態で、延長部材４６を他方の端部側からアタッチメント孔部５２及びアーム孔部６１に挿通しても良いし、延長部材４６をアタッチメント孔部５２及びアーム孔部６１に挿通した後でその両端に牽引装置３０及び第二連結部２１ａを連結しても良い。また、延長部材４６の線状部材をアタッチメント孔部５２及びアーム孔部６１に挿通した後で、その端部にシャックル４８を取り付けても良い。
【００４０】
固定ピン１を取り付けた後、第二連結部材２１をピン本体１０から取り外し、第二連結部材２１が取り外された第二締結部１４に第二保護部材４３を取り付ける。第二保護部材４３も六角の頭部４０ｂを有するため、工具を使用して容易に取り付けることができる。これにより、固定ピン１をアーム６０に取り付けた状態ではアタッチメント孔部５２から突出することとなる第二連結部２１ａに土砂やコンクリート破片等の被処理物が当たり、破損することを防止することができる。加えて、第二締結部１４において雌ネジが形成されている孔部が土砂等によって塞がれ、次に第二連結部材２１を取り付ける際の妨げとなることを防止することができる。なお、図３では、第一締結部１３に第一保護部材４０が取り付けられている状態を図示している。このように、固定ピン１のアーム６０への取り付けの際には、不要である第一連結部材２０をピン本体１０から取り外し、第一保護部材４０を取り付けておくことにより、環状の第一連結部２０ａの破損等を防止することができる。
【００４１】
次に、本実施形態の固定ピン着脱装置を使用した固定ピン１の取り外しについて図４を用いて説明する。
【００４２】
固定ピン１をアーム６０から取り外す場合は、第一連結部２０ａに牽引装置３０を直接的に連結し、牽引装置３０を使用して固定ピン１を第一連結部２０ａ側に牽引する。具体的には、第一締結部１３に第一保護部材４０が取り付けられている場合は、これを取り外し、第一連結部材２０が取り付けられた状態とする。そして、被連結部３２を第一連結部２０ａに引掛けることにより、第一連結部２０ａと牽引装置３０とが連結される。第一連結部２０ａは大きな円環状であるため、被連結部３２が大きな部材であっても引き掛け易い。この状態で、牽引装置３０においてレバー３５を操作して連結部材３１を巻き上げ、ピン本体１０がアーム孔部６１及びアタッチメント孔部５２から完全に抜け出るまで牽引する。これにより、固定ピン１をアーム６０から取り外すことができる。なお、図４では、第二締結部１４に第二保護部材４３が取り付けられている状態を示している。
【００４３】
以上のように、本実施形態の固定ピン１及び固定ピン着脱装置によれば、固定ピン１を牽引装置３０で牽引する作業により、アーム６０に対する固定ピン１の着脱を行うことができる。牽引装置３０では、上記のように連結部材３１を介して固定ピン１を移動させる距離より、長い距離で第二チェーンを巻き上げなければならないが、その距離の比に反比例した小さな力で第二チェーンを巻き上げることができるため、小さな力で容易に固定ピン１を牽引することができる。加えて、牽引装置３０はレバー３５によって第二支軸３３を回転させる構成であるため、てこの原理により、更に小さな力で固定ピン１を牽引することができる。加えて、レバー３５により第二支軸３３を回転させる構成はラチェット機構を備えている。従って、一回転させるよりも小さな角度範囲でレバー３５を往復回動させる容易な操作によって、連結部材３１を連続して巻き上げることができる。
【００４４】
以上、本考案について好適な実施形態を挙げて説明したが、本考案は上記の実施形態に限定されるものではなく、以下に示すように、本考案の要旨を逸脱しない範囲において、種々の改良及び設計の変更が可能である。
【００４５】
例えば、上記の実施形態では、レバー３５の操作による手動の牽引装置を例示したが、電動の牽引装置を使用することもできる。これにより、アームに対する固定ピンを着脱する作業をより容易に行うことができる。
【符号の説明】
【００４６】
１  固定ピン
１０  ピン本体
１１  フランジ部
１２  ピン先端部
１３  第一締結部
１４  第二締結部
２０ａ  第一連結部
２１ａ  第二連結部
３０  牽引装置
３１  連結部材
３２  被連結部
４０  第一保護部材
４３  第二保護部材
４６  延長部材
５０  アタッチメント
５２  アタッチメント孔部
６０  アーム
６１  アーム孔部
【図１】
0003194803.tif 000003
【図２】
0003194803.tif 000004
【図３】
0003194803.tif 000005
【図４】
0003194803.tif 000006
【図５】
0003194803.tif 000007
【図６】
0003194803.tif 000008